(57)【要約】【課題】ＴＶ放送のようなマルチメディアコンテンツの視聴中における情報発信を迅速に行うことのできる電子機器を提供する。【解決手段】本発明のスマートフォンは、コンテンツを表示するメインディスプレイ１０３に表示しているコンテンツに含まれる情報から、当該コンテンツの内容を特定する情報を抽出し、抽出した情報から、上記アプリケーション実行制御部４００によって実行制御される情報発信系のアプリケーション用のタグを生成するタグ生成部３０２を有している。【選択図】図１
2012253520.tif 000002
【特許請求の範囲】
【請求項１】
コンテンツを表示する表示部と、
情報発信系のアプリケーションの実行を制御するアプリケーション実行制御部と、
上記表示部に表示しているコンテンツに含まれる情報から、当該コンテンツの内容を特定する情報を抽出し、抽出した情報から、上記アプリケーション実行制御部によって実行制御される情報発信系のアプリケーション用のタグを生成するタグ生成手段とを備えていることを特徴とする電子機器。
【請求項２】
上記タグ生成手段は、
コンテンツがＴＶ放送の場合、ＴＶ放送に含まれる情報から上記タグを生成することを特徴とする請求項１に記載の電子機器。
【請求項３】
上記タグ生成手段は、
コンテンツがムービーや写真等の撮影データの場合、撮影データに含まれるファイル情報から上記タグを生成することを特徴とする請求項１に記載の電子機器。
【請求項４】
コンテンツを表示する表示部と、情報入力のための操作部と、上記操作部を覆うカバーと、情報発信系のアプリケーションの実行を制御するアプリケーション実行制御部と、上記操作部が上記カバーに覆われる第１状態と、上記操作部が上記カバーに覆われず露出される第２状態とをとる電子機器であって、
上記第１状態と第２状態とのいずれの状態であるかを検出する状態検出手段と、
上記第１状態で、且つ、表示部にコンテンツを表示しているときに、上記状態検出手段によって、第２状態が検出されると、上記表示部に情報発信系のアプリケーションに対応付けられた情報発信用画面を表示するための表示情報を生成する表示情報生成手段とを備え、
上記表示情報生成手段は、上記表示部に表示しているコンテンツに含まれる情報から、当該コンテンツの内容を特定する情報を抽出し、抽出した情報から、上記アプリケーション実行制御部によって実行制御される情報発信系のアプリケーション用のタグを生成するタグ生成手段を有することを特徴とする電子機器。
【請求項５】
情報発信系のアプリケーションの実行を制御するアプリケーション実行制御部と、コンテンツ視聴機能を有し、上面に表示部が形成された第１筐体と、上面に操作部が形成された第２筐体とを備え、上記第１筐体と第２筐体とが、当該第１筐体の下面と第２筐体の上面とが対向するように配置され、少なくとも一方の筐体が他方の筐体に対してスライドすることにより、第２筐体の操作部が第１筐体により覆われる第１状態と、第２筐体の操作部が露出される第２状態とをとる電子機器であって、
上記第１状態と第２状態とのいずれの状態であるかを検出する状態検出手段と、
上記第１状態で、且つ、上記第１筐体の表示部にコンテンツを表示しているときに、上記状態検出手段によって、第２状態が検出されると、上記表示部に情報発信系のアプリケーションに対応付けられた情報発信用画面を表示するための表示情報を生成する表示情報生成手段とを備え、
上記表示情報生成手段は、上記表示部に表示しているコンテンツに含まれる情報から、当該コンテンツの内容を特定する情報を抽出し、抽出した情報から、上記アプリケーション実行制御部によって実行制御される情報発信系のアプリケーション用のタグを生成するタグ生成手段を有することを特徴とする電子機器。
【請求項６】
上記情報発信用画面は、情報発信系のアプリケーションを選択するための情報発信系アプリケーション選択画面であることを特徴とする請求項４または５に記載の電子機器。
【請求項７】
上記情報発信用画面は、予め起動設定した情報発信系アプリケーションの起動画面であることを特徴とする請求項４または５に記載の電子機器。
【請求項８】
上記情報発信用画面は、予め起動設定した情報発信系アプリケーションの文字入力画面であることを特徴とする請求項４または５に記載の電子機器。
【請求項９】
上記表示情報生成手段は、上記第２状態で、第１筐体の表示部に情報発信用画面が表示されているときに、上記状態検出手段によって、上記第１状態が検出されると、上記表示部に、視聴中のコンテンツが表示されるように、表示情報を生成することを特徴とする請求項４〜８の何れか１項に記載の電子機器。
【請求項１０】
コンテンツを表示する表示部を備えた第１電子機器と、当該第１電子機器と通信可能に接続された第２電子機器と、備え、当該第２電子機器は、情報入力のための操作部と、上記操作部を覆うカバーと、情報を表示する表示部とを備え、上記操作部が上記カバーに覆われる第１状態と、上記操作部が上記カバーに覆われず露出される第２状態とをとる情報入力システムであって、
上記第２電子機器は、
さらに、上記第１状態と第２状態とのいずれの状態であるかを検出する状態検出手段と、
上記第１状態で、且つ、上記第１電子機器の表示部にコンテンツを表示しているときに、上記状態検出手段によって、第２状態が検出されると、上記第２電子機器の表示部に、上記第１電子機器の表示部に情報発信系のアプリケーションに対応付けられた情報発信用画面を表示するための表示情報を生成する表示情報生成手段と、
上記情報発信系のアプリケーションの実行を制御するアプリケーション実行制御部とを備え、
上記表示情報生成手段は、上記表示部に表示しているコンテンツに含まれる情報から、当該コンテンツの内容を特定する情報を抽出し、抽出した情報から、上記アプリケーション実行制御部によって実行制御される情報発信系のアプリケーション用のタグを生成するタグ生成手段を有していることを特徴とする情報入力システム。
【請求項１１】
コンテンツを表示する表示部と、情報発信系のアプリケーションの実行を制御するアプリケーション実行制御部とを備えた電子機器の表示制御方法であって、
上記表示部に表示しているコンテンツに含まれる情報から、当該コンテンツの内容を特定する情報を抽出し、抽出した情報から、上記アプリケーション実行制御部によって実行制御される情報発信系のアプリケーション用のタグを生成し、上記情報発信系のアプリケーションの文字入力画面を上記タグ付で表示することを特徴とする電子機器の表示制御方法。
【請求項１２】
コンテンツを表示する表示部と、情報入力のための操作部と、上記操作部を覆うカバーと、情報発信系のアプリケーションの実行を制御するアプリケーション実行制御部と、上記操作部が上記カバーに覆われる第１状態と、上記操作部が上記カバーに覆われず露出される第２状態とをとる電子機器の表示制御方法であって、
上記第１状態で、且つ、表示部にコンテンツを表示しているときに、上記第２状態が検出されると、上記表示部に情報発信系のアプリケーションに対応付けられた情報発信用画面を表示するための表示情報を生成し、
上記表示部に表示しているコンテンツに含まれる情報から、当該コンテンツの内容を特定する情報を抽出し、抽出した情報から、上記アプリケーション実行制御部によって実行制御される情報発信系のアプリケーション用のタグを生成し、
上記生成したタグを含んだ上記表示情報を生成することを特徴とする電子機器の表示制御方法。
【請求項１３】
情報発信系のアプリケーションの実行を制御するアプリケーション実行制御部と、コンテンツ視聴機能を有し、上面に表示部が形成された第１筐体と、上面に操作部が形成された第２筐体とを備え、上記第１筐体と第２筐体とが、当該第１筐体の下面と第２筐体の上面とが対向するように配置され、少なくとも一方の筐体が他方の筐体に対してスライドすることにより、第２筐体の操作部が第１筐体により覆われる第１状態と、第２筐体の操作部が露出される第２状態とをとる電子機器の表示制御方法であって、
上記第１状態で、且つ、上記第１筐体の表示部にコンテンツを表示しているときに、上記第２状態が検出されると、上記表示部に情報発信系のアプリケーションに対応付けられた情報発信用画面を表示するための表示情報を生成し、
上記表示部に表示しているコンテンツに含まれる情報から、当該コンテンツの内容を特定する情報を抽出し、抽出した情報から、上記アプリケーション実行制御部によって実行制御される情報発信系のアプリケーション用のタグを生成し、
上記生成したタグを含んだ上記表示情報を生成することを特徴とする電子機器の表示制御方法。
【発明の詳細な説明】
【技術分野】
【０００１】
本発明は、ＴＶ放送、ＷＥＢ放送、ストリーミング、ミュージック等のマルチメディアコンテンツの視聴機能を有する携帯端末等の電子機器に関する。
【背景技術】
【０００２】
近年、ＷＥＢページの閲覧機能の他に、電子メール送受信機能等の複数種類のアプリケーションが実行可能な携帯端末として、携帯電話、スマートフォンなどの電子機器が知られている。
【０００３】
このように、複数種類のアプリケーションを搭載した携帯端末では、利用者の利便性を向上させるための種々の工夫が施されている。
【０００４】
例えば特許文献１には、互いにスライド移動可能に接続された第１の筐体と第２の筐体とを備えた携帯端末において、筐体のスライド位置を検出し、検出したスライド位置に対応するアプリケーションを自動的に起動する点が開示されている。
【０００５】
また、特許文献２には、携帯端末において、自装置の姿勢に応じたアプリケーションを自動的に起動する点が開示されている。
【先行技術文献】
【特許文献】
【０００６】
【特許文献１】特開２００９−２５３７７２号公報（２００９年１０月２９日公開）
【特許文献２】特開２０１１−１８２７２号公報（２０１１年１月２７日公開）
【発明の概要】
【発明が解決しようとする課題】
【０００７】
ところで、近年、ＴＶ放送、ＷＥＢ放送、ストリーミング、ミュージック等のマルチメディアコンテンツの視聴機能を備えた携帯電話やスマートフォン等の携帯端末が知られている。
【０００８】
通常、携帯電話やスマートフォンにおいて、上記マルチメディアコンテンツの一つとしてＴＶ放送を視聴中の利用者が、視聴中のＴＶ放送に関して何か情報を発信しようとしたとき、Ｔｗｉｔｔｅｒ等の情報発信系のアプリケーショを起動させて、情報発信を行う。このように、ＴＶ放送視聴中では、ＴＶ放送視聴用のアプリケーションを起動しているので、Ｔｗｉｔｔｅｒ等の別のアプリケーションを起動させる場合、一旦、ＴＶ放送視聴用のアプリケーションを終了させるか、あるいはバックグランドで待機（サスペンド）させるかなどの処理を経てから、情報発信系のアプリケーションを起動させることになる。
【０００９】
例えば特許文献１，２に開示されている携帯端末のように、アプリケーションを自動的に起動させる場合であっても、目的とする情報発信系のアプリケーションを起動させるには、一旦、ＴＶ放送視聴用のアプリケーションを終了させるか、あるいはバックグランドで待機（サスペンド）させるかなどの処理を経てから、情報発信系のアプリケーションを起動させることになる。
【００１０】
このように、従来の携帯端末では、利用者が情報を発信したいと考えてから、実際に情報を発信することができる状態になるまでに、上記のような処理を経る必要があるので、情報発信の即時性が十分でないという問題が生じる。
【００１１】
また、視聴していたＴＶ放送について情報を発信する際に、どのような内容について情報を発信するのかを、利用者自身が、情報発信系のアプリケーションの入力画面に手動で入力する必要があるので、実際の情報を発信するまでに時間を要し、情報発信の即時性が十分でないという問題が生じる。
【００１２】
本発明は、上記の各問題点に鑑みなされたものであって、その目的は、ＴＶ放送、ＷＥＢ放送、ストリーミング、ミュージック等のマルチメディアコンテンツの視聴中における情報発信を迅速に行うことのできる電子機器を提供することにある。
【課題を解決するための手段】
【００１３】
本発明の電子機器は、上記の課題を解決するために、コンテンツを表示する表示部と、情報発信系のアプリケーションの実行を制御するアプリケーション実行制御部と、上記表示部に表示しているコンテンツに含まれる情報から、当該コンテンツの内容を特定する情報を抽出し、抽出した情報から、上記アプリケーション実行制御部によって実行制御される情報発信系のアプリケーション用のタグを生成するタグ生成手段とを備えていることを特徴としている。
【００１４】
上記の構成によれば、表示部に表示しているコンテンツに含まれる情報から、当該コンテンツの内容を特定する情報を抽出し、抽出した情報から、上記アプリケーション実行制御部によって実行制御される情報発信系のアプリケーション用のタグが生成されるので、利用者自身が、情報発信系のアプリケーションの入力画面に、表示部に表示されているコンテンツの内容を特定する情報を手動で入力する必要がなくなる。
【００１５】
これにより、表示部に表示中のコンテンツを視聴中の利用者が、情報発信系のアプリケーションを実行させたときに、対応するアプリケーションのタグが自動的に生成されているので、実際の情報を発信するまでの時間を短縮でき、その結果、情報発信を迅速に行うことができるという効果を奏する。
【００１６】
特に、視聴しているコンテンツが、ＴＶ放送、ＷＥＢ放送、ストリーミング、ミュージック等のマルチメディアコンテンツの場合、利用者が視聴中のマルチメディアコンテンツに対して何らかの情報を発信したいと考える場合が多いので、このような場合に特に有効である。
【００１７】
上記タグ生成手段は、コンテンツがＴＶ放送の場合、ＴＶ放送に含まれる情報から上記タグを生成する。
【００１８】
ＴＶ放送に含まれる情報として、ＥＰＧ（Ｅｌｅｃｔｒｏｎｉｃ  Ｐｒｏｇｒａｍ  Ｇｕｉｄｅ）やＢＭＬ（Ｂｒｏａｄｃａｓｔ  Ｍａｒｋｕｐ  Ｌａｎｇｕａｇｅ）内の情報を用いる。
【００１９】
上記タグ生成手段は、コンテンツがムービーや写真等の撮影データの場合、撮影データに含まれるファイル情報から上記タグを生成する。
【００２０】
ファイル情報として、ファイル名、撮影時の情報（ＧＰＳや機種名等）、Ｅｘｉｆ（Ｅｘｃｈａｎｇｅａｂｌｅ  Ｉｍａｇｅ  Ｆｉｌｅ  Ｆｏｒｍａｔ）等のファイル形式を用いる。
【００２１】
本発明の電子機器は、上記の課題を解決するために、コンテンツを表示する表示部と、情報入力のための操作部と、上記操作部を覆うカバーと、情報発信系のアプリケーションの実行を制御するアプリケーション実行制御部と、上記操作部が上記カバーに覆われる第１状態と、上記操作部が上記カバーに覆われず露出される第２状態とをとる電子機器であって、上記第１状態と第２状態とのいずれの状態であるかを検出する状態検出手段と、上記第１状態で、且つ、表示部にコンテンツを表示しているときに、上記状態検出手段によって、第２状態が検出されると、上記表示部に情報発信系のアプリケーションに対応付けられた情報発信用画面を表示するための表示情報を生成する表示情報生成手段とを備え、上記表示情報生成手段は、上記表示部に表示しているコンテンツに含まれる情報から、当該コンテンツの内容を特定する情報を抽出し、抽出した情報から、上記アプリケーション実行制御部によって実行制御される情報発信系のアプリケーション用のタグを生成するタグ生成手段を有していることを特徴としている。
【００２２】
上記の構成によれば、操作部がカバーに覆われる第１状態で、且つ、表示部にコンテンツを表示しているときに、上記状態検出手段によって、第２状態が検出されると、上記表示部に情報発信系のアプリケーションに対応付けられた情報発信用画面を表示することで、利用者は、表示部に表示された情報発信用画面に応じた操作を行い、情報の発信を行うことが可能となる。
【００２３】
これにより、コンテンツ視聴中の利用者は、電子機器が第２状態、すなわち操作部が露出した状態になるだけで、所望する情報発信系アプリケーションを用いて迅速に情報の発信を行うことができるという効果を奏する。
【００２４】
しかも、表示部に表示しているコンテンツに含まれる情報から、当該コンテンツの内容を特定する情報を抽出し、抽出した情報から、上記アプリケーション実行制御部によって実行制御される情報発信系のアプリケーション用のタグが生成されるので、利用者自身が、情報発信系のアプリケーションの入力画面に、表示部に表示されているコンテンツの内容を特定する情報を手動で入力する必要がなくなる。
【００２５】
これにより、表示部に表示中のコンテンツを視聴中の利用者が、情報発信系のアプリケーションを実行させたときに、対応するアプリケーションのタグが自動的に生成されているので、実際の情報を発信するまでの時間を短縮でき、その結果、情報発信を迅速に行うことができるという効果を奏する。
【００２６】
本発明の電子機器は、上記の課題を解決するために、コンテンツ視聴機能を有し、上面に表示部が形成された第１筐体と、上面に操作部が形成された第２筐体とを備え、上記第１筐体と第２筐体とが、当該第１筐体の下面と第２筐体の上面とが対向するように配置され、少なくとも一方の筐体が他方の筐体に対してスライドすることにより、第２筐体の操作部が第１筐体により覆われる第１状態と、第２筐体の操作部が露出される第２状態とをとる電子機器であって、上記第１状態と第２状態とのいずれの状態であるかを検出する状態検出手段と、上記第１状態で、且つ、上記第１筐体の表示部にコンテンツを表示しているときに、上記状態検出手段によって、第２状態が検出されると、上記表示部に情報発信系のアプリケーションに対応付けられた情報発信用画面を表示するための表示情報を生成する表示情報生成手段とを備え、上記表示情報生成手段は、上記表示部に表示しているコンテンツに含まれる情報から、当該コンテンツの内容を特定する情報を抽出し、抽出した情報から、上記アプリケーション実行制御部によって実行制御される情報発信系のアプリケーション用のタグを生成するタグ生成手段を有していることを特徴としている。
【００２７】
上記の構成によれば、第２筐体上面の操作部が第１筐体によって覆われた第１状態で、且つ、第１筐体上面の表示部にコンテンツを表示しているときに、上記状態検出手段によって、第２筐体上面の操作部が露出した第２状態が検出されると、上記表示部に情報発信系のアプリケーションに予め対応付けられた表示画面が表示されることで、利用者は、表示部に表示された情報発信用画面に応じて、露出した操作部を操作することが可能となる。
【００２８】
これにより、コンテンツ視聴中の利用者は、電子機器が第２状態、すなわち操作部が露出した状態になるだけで、所望する情報発信系アプリケーションを用いて迅速に情報の発信を行うことができるという効果を奏する。
【００２９】
しかも、表示部に表示しているコンテンツに含まれる情報から、当該コンテンツの内容を特定する情報を抽出し、抽出した情報から、上記アプリケーション実行制御部によって実行制御される情報発信系のアプリケーション用のタグが生成されるので、利用者自身が、情報発信系のアプリケーションの入力画面に、表示部に表示されているコンテンツの内容を特定する情報を手動で入力する必要がなくなる。
【００３０】
これにより、表示部に表示中のコンテンツを視聴中の利用者が、情報発信系のアプリケーションを実行させたときに、対応するアプリケーションのタグが自動的に生成されているので、実際の情報を発信するまでの時間を短縮でき、その結果、情報発信を迅速に行うことができるという効果を奏する。
【００３１】
上記情報発信用画面は、情報発信系のアプリケーションを選択するための情報発信系アプリケーション選択画面であることを特徴としている。
【００３２】
この場合、情報発信用画面として、情報発信系アプリケーション選択画面を表示させることで、利用者は、所望の情報発信系アプリケーションを選択して、直ぐに情報発信（文字入力）できる。
【００３３】
つまり、情報発信系アプリケーション選択画面において、所望の情報発信系アプリケーションを選択した場合は、選択したアプリケーションを起動させ、当該アプリケーションの初期画面に遷移するようにすればよい。
【００３４】
また、情報発信系アプリケーション選択画面において、アプリケーションの選択肢は、よく使う項目が選択されやすいよう、順番や項目アイコンや文字の大きさ、色を変化させてもよい。例えば、表示画面の上から順に各アプリケーションに対応するアイコンが表示されている場合、使用頻度の高いアプリケーションに対応するアイコンが一番上に表示されるようにしてもよい。あるいは、使用頻度の高いアプリケーションに対応するアイコンの大きさを、他のアプリケーションに対応するアイコンの大きさよりも大きく目立つようにしてもよい。または、使用頻度の高いアプリケーションに対応するアイコンの色を、他の他のアプリケーションに対応するアイコンの色と異なる色にしてもよい。
【００３５】
上記情報発信用画面は、予め起動設定した情報発信系アプリケーションの起動画面であることを特徴としている。
【００３６】
この場合、情報発信用画面として、予め起動設定した情報発信系アプリケーションの起動画面を表示させることで、利用者は、起動した情報発信系アプリケーションの起動画面から、直ぐに情報発信（文字入力）するための文字入力画面に移行させることができる。
【００３７】
これにより、利用者は、所望の情報発信系アプリケーションを選択するという動作を行わずに、文字入力画面に迅速に移行させることができるので、コンテンツ視聴中における情報発信を迅速に行うことができるという効果を奏する。
【００３８】
上記情報発信用画面は、予め起動設定した情報発信系アプリケーションの文字入力画面であることを特徴としている。
【００３９】
この場合、情報発信用画面として、予め起動設定した情報発信系アプリケーションの文字入力画面を表示させることで、利用者は、直ぐに情報発信（文字入力）するための文字入力を行うことができる。
【００４０】
これにより、利用者は、所望の情報発信系アプリケーションを選択するという動作、起動中の情報発信系アプリケーションから文字入力画面に移行させるという動作を行わずに、文字入力を迅速に行うことができるという効果を奏する。
【００４１】
上記表示情報生成手段は、上記第２状態で、第１筐体の表示部に情報発信用画面が表示されているときに、上記状態検出手段によって、上記第１状態が検出されると、上記表示部に、視聴中のコンテンツが表示されるように、表示情報を生成することを特徴としている。
【００４２】
これにより、利用者は、情報発信が終了して、第２状態から第１状態にするだけで、視聴中のコンテンツを再度視聴することが可能となる。
【００４３】
本発明の情報入力システムは、ＷＥＢページを表示する表示部を備えた第１電子機器と、当該第１電子機器と通信可能に接続された第２電子機器と、備え、当該第２電子機器は、情報入力のための操作部と、上記操作部を覆うカバーと、情報を表示する表示部とを備え、上記操作部が上記カバーに覆われる第１状態と、上記操作部が上記カバーに覆われず露出される第２状態とをとる情報入力システムであって、上記第２電子機器は、さらに、上記第１状態と第２状態とのいずれの状態であるかを検出する状態検出手段と、上記第１状態で、且つ、上記第１電子機器の表示部にコンテンツを表示しているときに、上記状態検出手段によって、第２状態が検出されると、上記第２電子機器の表示部に、上記第１電子機器の表示部に情報発信系のアプリケーションに対応付けられた情報発信用画面を表示するための表示情報を生成する表示情報生成手段と、上記情報発信系のアプリケーションの実行を制御するアプリケーション実行制御部とを備え、上記表示情報生成手段は、上記表示部に表示しているコンテンツに含まれる情報から、当該コンテンツの内容を特定する情報を抽出し、抽出した情報から、上記アプリケーション実行制御部によって実行制御される情報発信系のアプリケーション用のタグを生成するタグ生成手段を有していることを特徴としている。
【００４４】
上記の構成によれば、利用者が、第２電子機器が第１状態（操作部がカバーにより覆われている状態）で、第１電子機器の表示部に表示されているコンテンツを視聴しているときに、第２電子機器を第２状態（操作部が露出した状態）にすることにより、当該第２電子機器の表示部には、上記第１電子機器の表示部に情報発信用画面されるので、コンテンツ視聴中の利用者は、第２電子機器の表示部に表示された情報発信用画面に応じた操作を行い、情報の発信を行うことが可能となる。
【００４５】
しかも、表示部に表示しているコンテンツに含まれる情報から、当該コンテンツの内容を特定する情報を抽出し、抽出した情報から、上記アプリケーション実行制御部によって実行制御される情報発信系のアプリケーション用のタグが生成されるので、利用者自身が、情報発信系のアプリケーションの入力画面に、表示部に表示されているコンテンツの内容を特定する情報を手動で入力する必要がなくなる。
【００４６】
これにより、表示部に表示中のコンテンツを視聴中の利用者が、情報発信系のアプリケーションを実行させたときに、対応するアプリケーションのタグが自動的に生成されているので、実際の情報を発信するまでの時間を短縮でき、その結果、情報発信を迅速に行うことができるという効果を奏する。
【００４７】
具体的には、例えば第１電子機器としてパーソナルコンピュータ、第２電子機器としてスマートフォンとが通信可能に接続された状態で、且つスマートフォンが第１状態であるとき、利用者が、パーソナルコンピュータ側で例えばワンセグ放送を視聴中に、第１状態のスマートフォン１００を第２状態にすることで、当該パーソナルコンピュータ側で視聴中のワンセグ放送に対する情報発信用画面が、上記スマートフォンのメインディスプレイに表示される。
【００４８】
これにより、パーソナルコンピュータに表示されているワンセグ放送視聴中の利用者は、スマートフォンを第２状態（操作部が露出した状態）にするだけで、当該スマートフォン側で、所望する情報発信系アプリケーションを用いて迅速に情報の発信を行うことができるという効果を奏する。
【発明の効果】
【００４９】
本発明の電子機器は、以上のように、コンテンツを表示する表示部と、情報発信系のアプリケーションの実行を制御するアプリケーション実行制御部と、上記表示部に表示しているコンテンツに含まれる情報から、当該コンテンツの内容を特定する情報を抽出し、抽出した情報から、上記アプリケーション実行制御部によって実行制御される情報発信系のアプリケーション用のタグを生成するタグ生成手段とを備えていることで、コンテンツの視聴中における情報発信を迅速に行うことができるという効果を奏する。
【図面の簡単な説明】
【００５０】
【図１】本発明の実施の形態に係る表示情報生成部の概略構成ブロック図である。
【図２】図１に示す表示情報生成部を備えたスマートフォンの概略構成図であり、（ａ）は操作部が格納された状態を示し、（ｂ）は操作部が露出した状態を示す図である。
【図３】図２に示すスマートフォンの概略ブロック図である。
【図４】（ａ）（ｂ）は、図２に示すスマートフォンにおけるＴＶ放送視聴中のＴｗｉｔｔｅｒのタグ自動生成機能を説明するための図である。
【図５】ビデオ再生時のＴｗｉｔｔｅｒのタグ自動生成機能を説明するための図である。
【図６】（ａ）はＴＶ放送画面に情報発信ボタンを表示していない状態を示す図であり、（ｂ）はＴＶ放送画面に情報発信ボタンを表示している状態を示す図である。
【図７】Ｔｗｉｔｔｅｒのタグ自動生成処理の流れを示すフローチャートである。
【図８】（ａ）〜（ｃ）は、ＴＶ放送視聴中におけるスマートフォンのスライド連携機能を説明するための図である。
【図９】図８に示すスライド連携処理の流れを示すフローチャートである。
【発明を実施するための形態】
【００５１】
本発明の一実施の形態について説明すれば、以下の通りである。
【００５２】
なお、本実施の形態では、本発明の電子機器としてスマートフォンを例に説明する。なお、本実施の形態にかかるスマートフォンでは、少なくとも電子メールの送受信機能を有し、さらに、様々なアプリケーションを実行することができるものとする。
【００５３】
＜スマートフォンの外観＞
図２（ａ）（ｂ）は、本実施の形態にかかるスマートフォン１００の外観を示す。
【００５４】
上記スマートフォン１００は、図２（ａ）（ｂ）に示すように、第１筐体１０１と第２筐体１０２とが矢印方向にスライド可能に設けられている。すなわち、第１筐体１０１の下面と第２筐体１０２の上面１０２ａとが対向するように配置され、一方の筐体（例えば第１筐体１０１）が他方の筐体（例えば第２筐体１０２）に対してスライドするようになっている。
【００５５】
上記第１筐体１０１は、上面１０１ａにメインディスプレイ（表示部）１０３が形成されている。上記メインディスプレイ１０３は、液晶表示パネル、有機ＥＬパネル等からなり、電子メールの待受画面、電子メールの内容、ＴＶ放送、インターネットから取得したＷＥＢページ等の各種情報を表示するようになっている。ここで、メインディスプレイ１０３に表示するための表示情報は、後述する表示情報生成部（表示情報生成手段）３００（図１）によって生成される。
【００５６】
上記メインディスプレイ１０３は、表示画面上にタッチパネルを搭載しており、利用者は、タッチ操作により各種の入力を行うようになっている。
【００５７】
上記第２筐体１０２は、上面１０２ａに１０４が形成されている。上記操作部１０４は、情報入力するためのものであって、一般的な携帯電話機におけるテンキーと同じ配列のキーが設けられている。しかしながら、操作部１０４におけるキーは、上記テンキー以外のキーであってもよい、例えば、パソコンなどのキーボードと同じ配列のキーであってもよい。
【００５８】
従って、本スマートフォン１００では、第１筐体１０１のメインディスプレイ１０３上に設けられたタッチパネルを操作することにより情報の入力が行える他、第２筐体１０２に設けられた操作部１０４を操作することによっても情報の入力が行えるようになっている。これにより、タッチパネルのみを搭載するスマートフォンに比べて、利用者の好みに応じた入力操作が行える。
【００５９】
上記第１筐体１０１と第２筐体１０２とは、当該第１筐体１０１の下面（図示せず）と、当該第２筐体１０２の上面１０２ａとが対向するように重ね合わされて、図２（ａ）（ｂ）に示す矢印方向に、相対的にスライドするように設けられている。なお、第２筐体１０２には、下面側に上記メインディスプレイ１０３とは異なるサブディスプレイ１０５（図３）が形成されている。
【００６０】
図２（ａ）は、第２筐体１０２が第１筐体１０１に完全に覆われた状態（以下、第１状態と称する）を示している。この第１状態では、少なくとも第２筐体１０２の上面１０２ａに形成された操作部１０４が第１筐体１０１によって完全に覆われていればよいので、第２筐体１０２の操作部１０４以外の部分が第１筐体１０１に重なり合う必要はない。
【００６１】
図２（ｂ）は、第１筐体１０１と第２筐体１０２とが相対的にスライドして、当該第２筐体１０２の上面１０２ａに形成された操作部１０４が完全に露出している状態（以下、第２状態と称する）を示している。この第２状態では、少なくとも第２筐体１０２の上面１０２ａに形成された操作部１０４が完全に露出していればよいので、第２筐体１０２の操作部１０４以外の部分の露出の程度は特に限定しない。
【００６２】
以上のことから、本実施の形態にかかるスマートフォン１００は、利用者の操作によって、少なくとも図２（ａ）に示す第１状態と、図２（ｂ）に示す第２状態との何れかの状態で使用されることになる。また、スマートフォン１００では、第１筐体１０１と第２筐体１０２とがスライド移動したことを検知するスライドセンサ２２５（図３）からの検知信号によって、第１状態であるのか、第２状態であるのかが後述する筐体状態検知部（状態検出手段）３０１によって特定される。
【００６３】
なお、本実施の形態にかかるスマートフォン１００では、図２（ａ）（ｂ）に示すように、第１筐体１０１と第２筐体１０２とが長手方向に相対的にスライド移動する例を示しているが、これに限定されるものではなく、第１筐体１０１と第２筐体１０２とが短手方向に相対的にスライド移動するような構成であってもよい。
【００６４】
＜スマートフォン１００の全体説明＞
図３は、上記スマートフォン１００の概略構成ブロック図を示す。
【００６５】
すなわち、上記スマートフォン１００は、図３に示すように、メイン制御部（メイン＋サブプロセッサ）２０１を中心として、通信制御部２０２、キー操作部２０３、キー状態感知部２０４、ＬＥＤ等表示部２０５、センサ制御部２０６、ＧＰＳ制御部２０７、カメラ制御部２０８、メインディスプレイ表示制御部２０９、メインディスプレイ操作部２１０、サブディスプレイ表示制御部２１１、音制御部２１２、電源制御部２１３、外部接続制御部２１４、内蔵メモリ２１５、ＳＩＭカード制御部２１６を有している。
【００６６】
上記通信制御部２０２には、無線通信を行う無線部２１７と、有線通信を行う有線部２１８が接続されている。
【００６７】
上記無線部２１７は、様々な無線通信方式により、外部機器等とデータの送受信を行うようになっている。ここで、無線通信方式として、ＷｉＦｉ、キャリア網、Ｂｌｕｅｔｏｏｔｈ，Ｉｒ，ＧＰＳ、ＲＦリーダー、ＰＨＳなどを挙げることができる。
【００６８】
一方、上記有線部２１８は、様々な有線通信方式により、外部機器等とデータの送受信を行うようになっている。ここで、有線通信方式として、光通信、ＬＡＮ，電話回線、Ｉｒなどを挙げることができる。
【００６９】
上記無線部２１７、有線部２１８におけるデータの送受信制御は、上記通信制御部２０２によって行われ、受信したデータは、メイン制御部２０１に送られる。本実施の形態のスマートフォン１００では、少なくともネットワークを介して情報の送受信を行う機能を実現する必要がある。このネットワークを介して情報の送受信を行うためには、上記無線部２１７、有線部２１８、通信制御部２０２によって実現される。つまり、ネットワークを介して情報の送受信は、無線通信であっても、有線通信であってもよい。
【００７０】
ここでネットワークを介して情報の送受信を行うとは、例えばインターネットから取得したＷＥＢ情報を取得することや、Ｔｗｉｔｔｅｒ等の情報発信系のアプリケーションにより情報を発信することを含む。
【００７１】
上記キー操作部２０３は、図２（ｂ）に示す第２筐体１０２の操作部１０４に設けられたキー、スマートフォン１００本体に搭載された各種キー（電源ボタン、音量調整ボタン、ホームキー等）の操作を受け付けて、受け付けたキーに対応付けられた情報をメイン制御部２０１に送るようになっている。
【００７２】
上記キー状態感知部２０４は、スマートフォン１００に設けられた操作部１０４を含む各キーがロックされている否かを感知するようになっている。スマートフォン１００では、意図しないキー入力が行われることを防止するために、キー操作を受け付けないロック状態に設定することが可能である。つまり、キー状態感知部２０４は、キー操作の受け付けがロックされている状態を感知するようになっている。この感知した結果は、メイン制御部２０１に送るようになっている。
【００７３】
上記ＬＥＤ等表示部２０５は、電子メールの着信や、電話の着信を知らせるために使用される。
【００７４】
上記センサ制御部２０６は、スマートフォン１００に設けられた各種センサを制御する制御部である。図３では、各種センサの一つとして、第１筐体１０１と第２筐体１０２とがスライドしたことを検知するスライドセンサ２２５がセンサ制御部２０６に接続された例を示している。スライドセンサ２２５によって検出された検出信号（第１筐体１０１と第２筐体１０２とがスライドしたことを検出した信号）は、センサ制御部２０６を介して、メイン制御部２０１に送られる。このメイン制御部２０１には、後述するがメインディスプレイ１０３に表示する情報を生成するた表示情報生成部３００が設けられている。この表示情報生成部３００では、スライドセンサ２２５からの検出信号に応じて、表示情報を生成するようになっている。
【００７５】
また、上記メイン制御部２０１には、上記表示情報生成部３００の他に、本スマートフォン１００で実行可能なアプリケーションの実行制御を行うアプリケーション実行制御部４００（図１）が設けられている。この表示情報生成部３００及びアプリケーション実行制御部４００の詳細については後述する。
【００７６】
上記ＧＰＳ制御部２０７は、図示しないＧＰＳ受信機から取得したＧＰＳデータをメイン制御部２０１に送るようになっている。
【００７７】
上記カメラ制御部２０８は、図示しないカメラによって撮影された撮影データをメイン制御部２０１に送るようになっている。
【００７８】
上記メインディスプレイ表示制御部２０９は、メイン制御部２０１から送られる表示情報に応じた画像をメインディスプレイ１０３に表示させるようになっている。また、現時点でメインディスプレイ１０３に表示している表示情報を表示内容確認用データとして、メイン制御部２０１に送るようになっている。この表示内容確認用データは、メイン制御部２０１内の表示情報生成部３００において表示情報を作成するのに使用される。
【００７９】
上記メインディスプレイ操作部２１０は、メインディスプレイ１０３に搭載されたタッチパネルから入力操作を受け付け、受け付けた入力操作に対応付けられた情報をメイン制御部２０１に送るようになっている。
【００８０】
上記サブディスプレイ表示制御部２１１は、第２筐体１０２の操作部１０４の形成面とは反対側の面である下面に形成されたサブディスプレイ１０５の表示制御を行っている。このサブディスプレイ１０５は、通常、スマートフォン１００が第１の状態（図２（ａ）に示す状態）のときに、時計表示や電子メール着信などの簡単な情報を表示するディスプレイであり、液晶パネル、有機ＥＬパネル等のパネルを使用することが可能である。
【００８１】
上記音制御部２１２は、マイク２１９、スピーカ２２０が接続され、それぞれを制御するようになっている。
【００８２】
上記電源制御部２１３は、スマートフォン１００の電源としての電池２２１に接続されており、電池残量などをモニタリングして、モニタ結果をメイン制御部２０１に送るようになっている。これにより、電池残量をメイン制御部２０１経由で、例えばメインディスプレイ１０３に表示させることが可能となる。
【００８３】
上記外部接続制御部２１４は、２つのコネクタと、外部メモリ２２４とが接続されている。２つのコネクタのうち、一つは、ｍｉｃｒｏＵＳＢ接続用のコネクタ２２２であり、残りの一つは、ＨＤＭＩ接続用のコネクタ２２３である。
【００８４】
上記内蔵メモリ２１５は、プログラムメモリ、ユーザメモリ、アドレス帳、端末設定メモリから構成されている。
【００８５】
上記プログラムメモリには、スマートフォン１００において実行可能なアプリケーションデータ、条件設定情報、履歴情報、位置情報が格納されている。
【００８６】
また、上記内蔵メモリ２１５の端末設定メモリには、上述した表示情報生成部３００において生成するための画面情報が記憶されている。この画面情報の詳細については後述する。
【００８７】
上記ＳＩＭカード制御部２１６は、ＳＩＭカード（図示せず）がスマートフォン１００内の所定位置に挿入されているか否かを検知して、挿入されている場合には、ＳＩＭカードに記載された情報（利用者の携帯電話番号や契約者情報等）を読み取り、メイン制御部２０１に送り、内蔵メモリ２１５のユーザメモリに記憶される。
【００８８】
さらに、ＴＶ放送を受信するためのテレビ受像部２２６を備えている。本実施の形態では、ＴＶ放送として、携帯端末に特化したワンセグ放送を例に説明する。従って、上記テレビ受像部２２６によって受信されたＴＶ放送はワンセグ放送であり、スマートフォン１００の第１筐体１０１に設けられたメインディスプレイ１０３に表示されるのはワンセグ放送である。
【００８９】
上記構成のスマートフォン１００では、テレビ受像部２２６によって受信されたワンセグ放送が視聴できる他、無線部２１７や有線部２１８を介して、ＷＥＢ放送（Ｙｏｕ  Ｓｔｒｅａｍ等）や、ストリーミングの視聴もできる。
【００９０】
また、上記構成のスマートフォン１００では、内蔵メモリ２１５に録音されたミュージックや映像の再生も行うことができる。
【００９１】
このように、上記構成のスマートフォン１００では、ＴＶ放送、ＷＥＢ放送、ストリーミング、ミュージック、ムービー、写真等のマルチメディアコンテンツの視聴機能（コンテンツ視聴機能）を有する。
【００９２】
そして、上記構成のスマートフォン１００では、マルチメディアコンテンツの視聴中に、視聴中の利用者が自ら情報発信も行うことができる。しかも、情報発信を行う際には、視聴中のマルチメディアコンテンツの内容を特定する情報としてタグを、情報発信系のアプリケーション用に自動的に生成して、情報発信時に用いることができるようになっている。
【００９３】
例えば、図４（ａ）に示すように、スマートフォン１００の第１筐体１０１のメインディスプレイ１０３にワンセグ放送が表示されているとき、利用者が情報発信系のアプリケーションとしてＴｗｉｔｔｅｒを起動させると、図４（ｂ）に示すように、メインディスプレイ１０３にはＴｗｉｔｔｅｒの文字入力画面１０３ａが表示される。この文字入力画面１０３ａには、ワンセグ放送の内容を特定する情報として、番組名、放送局等がタグとして自動的に生成され、表示されている。利用者は、文字入力画面１０３ａに既に番組名、放送局等の情報がタグとして表示された状態で、文字の入力を行うことになる。
【００９４】
また、ワンセグ放送ではなく、スマートフォン１００のメインディスプレイ１０３に録画した映像を視聴している状態でＴｗｉｔｔｅｒを起動させた場合、図５に示すように、図４（ｂ）と同様に、メインディスプレイ１０３にはＴｗｉｔｔｅｒの文字入力画面１０３ａが表示されるが、この文字入力画面１０３ａには、ワンセグ放送の場合と異なり、ファイル情報として、撮影場所を示すＧＰＳデータ、撮影日、ファイル形式などが、視聴中の映像の内容を特定する情報をタグとして、自動的に入力されている。
【００９５】
つまり、上記構成のスマートフォン１００では、コンテンツ視聴中に起動させたＴｗｉｔｔｅｒ等の情報発信系のアプリケーションに、当該コンテンツの内容を特定する情報をタグとして自動的に生成するようになっている。
【００９６】
このような自動タグ生成機能は、図１に示す表示情報生成部３００によって実現できる。
【００９７】
＜表示情報生成部３００＞
上記表示情報生成部３００は、図１に示すように、筐体状態検知部（状態検出手段）３０１、タグ生成部（タグ生成手段）３０２、画面情報取得部３０３、表示情報出力部３０４を含んでいる。
【００９８】
上記筐体状態検知部３０１は、センサ制御部２０６からの信号によって、第１筐体１０１と第２筐体１０２とが重なり合って、当該第２筐体１０２の操作部１０４が第１筐体１０１により覆われた第１状態であるか、第１筐体１０１と第２筐体１０２とがスライドして、第２筐体１０２の操作部１０４が露出した第２状態であるかを検知するようになっている。この検知した結果を示す検知信号は、後段の画面情報取得部３０３に送られる。
【００９９】
上記タグ生成部３０２は、メインディスプレイ表示制御部２０９からの信号によって、第１筐体１０１のメインディスプレイ１０３に表示されているコンテンツから、当該コンテンツを特定するための情報を抽出し、抽出した情報からアプリケーション実行制御部４００によって実行制御される情報発信系のアプリケーション用のタグを生成するようになっている。このタグは、後段の画面情報取得部３０３に送られる。
【０１００】
上記画面情報取得部３０３は、筐体状態検知部３０１からの検知信号と、タグ生成部３０２からの解析信号とに基づいて、メインディスプレイ１０３に表示すべき情報発信用画面を表示するための画面情報を内蔵メモリ２１５から取得するようになっている。
【０１０１】
ここで、画面情報取得部３０３は、筐体状態検知部３０１からの検知信号が第２状態を示す検知信号であり、タグ生成部３０２からのタグがコンテンツを特定するための情報である場合に、内蔵メモリ２１５から、情報発信系のアプリケーションにおける文字入力画面を上記タグ付で情報発信用画面として表示させるための画面情報を取得する。
【０１０２】
画面情報取得部３０３が取得した上述の画面情報は、後段の表示情報出力部３０４に送られる。
【０１０３】
上記表示情報出力部３０４は、受け取った画面情報から、情報発信用画面を表示するための表示情報を生成し、メインディスプレイ表示制御部２０９に出力するようになっている。
【０１０４】
このようにして、上記構成のスマートフォン１００のメインディスプレイ１０３には、メインディスプレイ表示制御部２０９からの表示情報に基づいて、情報発信系のアプリケーション（例えばＴｗｉｔｔｅｒ）における文字入力画面に、タグが付与された状態で、情報発信用画面として表示される。
【０１０５】
＜アプリケーション実行制御部４００＞
上記アプリケーション実行制御部４００は、キー操作部２０３、メインディスプレイ操作部２１０等によって受け付けた操作情報から、内蔵メモリ２１５に格納されたアプリケーションを選択して実行させるようになっている。
【０１０６】
上記キー操作部２０３は、図２（ｂ）に示したような操作部１０４を示し、利用者による操作部１０４や外部に設けられた物理的なキー操作によって得られた情報を操作情報として受け付けるようになっている。
【０１０７】
また、上記メインディスプレイ操作部２１０は、利用者によるメインディスプレイ１０３上に表示されたアイコンのタッチ操作によって得られた情報を操作情報として受け付けるようになっている。
【０１０８】
例えば、スマートフォン１００のメインディスプレイ１０３にワンセグ放送を表示している状態で、上述した情報発信系のアプリケーションを実行するとき、図６（ａ）に示すように、メインディスプレイ１０３に情報発信系のアプリケーションに対応するアイコンが表示されていない場合には、上述したスマートフォン１００に設けられた物理的なキーを操作することで、利用者は所望するアプリケーションを実行する。
【０１０９】
また、スマートフォン１００のメインディスプレイ１０３にワンセグ放送を表示している状態で、上述した情報発信系のアプリケーションを実行するとき、図６（ｂ）に示すように、メインディスプレイ１０３に情報発信系のアプリケーションに対応するアイコン群（アイコンＡ，Ｂ，Ｃ）１０３ｂを表示するようにしてもよい。この場合には、スマートフォン１００のメインディスプレイ１０３に表示されたアイコンをタッチすることで、利用者は所望するアプリケーションを実行する。
【０１１０】
＜情報発信処理＞
ここで、上記構成のスマートフォン１００における情報発信処理の流れについて図７に示すフローチャートを参照しながら以下に説明する。
【０１１１】
まず、事前起動アプリケーション（１）の条件の読み込みを行う（ステップＳ１１）。ここでは、ワンセグ放送、ムービー系のアプリケーションの条件読み込みを行う。
【０１１２】
次に、表示指定されたアプリケーションの存在確認を行う（ステップＳ１２）。
【０１１３】
次いで、指定のアプリケーション（１）を起動する（ステップＳ１３）。
【０１１４】
続いて、指定のアプリケーションのボタンを表示する（ステップＳ１４）。ここでは、図６（ｂ）に示すように、スマートフォン１００のメインディスプレイ１０３に、上記ボタンとしてアイコン群１０３ｂを表示する。
【０１１５】
次に、アプリケーション指定が行われる（ステップＳ１５）。ここでは、利用者によるアイコン群１０３ｂのいずれかのアイコンのタッチにより起動すべきアプリケーションの指定が行われる。このアプリケーションは、Ｔｗｉｔｔｅｒ等の情報発信系のアプリケーションである。
【０１１６】
次いで、ステップ１５において指定したアプリケーション（２）を起動し（ステップＳ１６）、ワンセグ放送などの現状のアプリケーション（１）をバックグランド再生する（ステップＳ１７）。これにより、最初に起動していたアプリケーション（１）はバックグランドに移動し、次に、起動したアプリケーション（２）がメインディスプレイ１０３に表示される。
【０１１７】
そして、利用者は、アプリケーション（２）を利用する（ステップＳ１８）。ここで、アプリケーション（２）を利用して発信しようとする情報の入力を行う。このとき、起動したアプリケーション（２）の情報入力画面には、現在、バックグランド再生中のアプリケーション（１）によって実行されている内容（例えば放送内容）を特定する情報をタグとして既に表示されている。
【０１１８】
続いて、上記アプリケーション（２）を終了すると（ステップＳ１９）、指定のアプリケーション（１）へ移行する（ステップＳ２０）。ここでは、アプリケーション（２）を終了することで、バックグランド再生中のアプリケーション（１）をメインディスプレイ１０３に表示させる。
【０１１９】
以上のように、上記構成のスマートフォン１００によれば、メインディスプレイ１０３に表示中のワンセグ放送等のマルチメディアコンテンツを視聴中の利用者が、情報発信系のアプリケーションを実行させたときに、対応するアプリケーションのタグが自動的に生成されているので、実際の情報を発信するまでの時間を短縮でき、その結果、情報発信を迅速に行うことができる。
【０１２０】
上記の情報発信処理では、情報発信系のアプリケーションを実行する場合、図６（ｂ）に示すように、スマートフォン１００のメインディスプレイ１０３に表示されたアイコン群１０３ｂを用いた例について説明したが、本発明では、上述したように、スマートフォン１００のメインディスプレイ１０３にワンセグ放送を表示している状態で、上述した情報発信系のアプリケーションを実行するとき、スマートフォン１００に設けられた物理的なキーを操作することで、利用者は所望するアプリケーションを実行できるようになっている。
【０１２１】
以下では、アプリケーション（１）の起動中に、アプリケーション（２）を起動させるタイミングとして、スマートフォン１００のスライド機能を利用した例について説明する。
【０１２２】
上記構成のスマートフォン１００は、上述したように、第１筐体１０１と第２筐体１０２とを相対的にスライドさせることで、図２（ａ）に示す第１状態と、図２（ｂ）に示す第２状態とに切り替わるようになっている。この切り替わりのタイミングを利用して、第１筐体１０１のメインディスプレイ１０３に表示されている内容を切り替えている。つまり、本スマートフォン１００では、第１筐体１０１と第２筐体１０２のスライドに連携して、アプリケーション（１）の起動中に、アプリケーション（２）を起動させることもできる。
【０１２３】
＜スライド連携機能＞
図８（ａ）〜図８（ｃ）は、上記構成のスマートフォン１００におけるスライド連携機能を説明するための図である。ここでは、アプリケーション（１）をワンセグ放送、アプリケーション（２）をＴｗｉｔｔｅｒとして説明する。
【０１２４】
ここで、図８（ａ）に示す第１状態で、第１筐体１０１のメインディスプレイ１０３にワンセグ放送を表示しているときに、第１筐体１０１と第２筐体１０２とをスライドさせて、図８（ｂ）に示す第２状態にすれば、当該第１筐体１０１のメインディスプレイ１０３には、利用者が情報発信するための情報発信用画面として、Ｔｗｉｔｔｅｒの文字入力画面１０３ａが表示される。
【０１２５】
上記Ｔｗｉｔｔｅｒの文字入力画面１０３ａには、図８（ｂ）に示すように、タグが自動的に付与されている。このタグは、今まで視聴していたワンセグ放送の放送内容を特定するための情報（放送番組、放送局等）である。
【０１２６】
具体的な処理としては、メインディスプレイ１０３に表示しているワンセグ放送に含まれる情報から、当該ワンセグ放送の放送内容を特定する情報（放送番組、放送局）を抽出し、抽出した情報から、Ｔｗｉｔｔｅｒのタグを生成して、Ｔｗｉｔｔｅｒの起動と同時に、上記タグ付きの文字入力画面１０３ａを表示する。
【０１２７】
図８（ｂ）に示す文字入力画面１０３ａから文字入力が終了すると、図８（ｃ）に示すように、Ｔｗｉｔｔｅｒの実行画面がメインディスプレイ１０３に表示される。この実行画面では、自分が発信した情報に対する返信の情報が入力時間順に時系列に表示される。
【０１２８】
このようなスマートフォン１００におけるスライド連携機能は、上述した表示情報生成部３００によって実現している。
【０１２９】
以上、上記構成のスマートフォン１００は、第１状態から第２状態に遷移した場合に、情報発信の即時性を向上させるために、第１筐体１０１のメインディスプレイ１０３に情報発信系アプリケーションの文字入力画面を表示させるようになっているが、この状態から、第１状態に遷移させた場合、元々表示していたワンセグ放送を再度上記メインディスプレイ１０３に表示させるようにしてもよい。
【０１３０】
具体的には、表示情報生成部３００は、第２状態で、第１筐体１０１のメインディスプレイ１０３に情報発信用画面として文字入力画面が表示されているときに、上記筐体状態検知部３０１によって、上記第１状態が検出されると、上記メインディスプレイ１０３に、視聴中のワンセグ放送が表示されるように、表示情報を生成する。
【０１３１】
これにより、利用者は、情報発信が終了して、第２状態から第１状態にするだけで、視聴中のワンセグ放送を再度視聴することが可能となる。
【０１３２】
＜スライド連携処理の説明＞
ここで、上記構成のスマートフォン１００におけるスライド連携処理の流れについて、図９に示すフローチャートを参照しながら以下に説明する。
【０１３３】
まず、文字入力形態への移行を検知したか否かを判断する（ステップＳ３１）。ここで文字入力形態とは、第２筐体１０２の操作部１０４が露出した状態（第２状態）をいう。つまり、第１筐体１０１と第２筐体１０２とがスライド移動したことを検知するスライドセンサ２２５からの検知信号によって、第２状態であると筐体状態検知部３０１によって特定される。すなわち、表示情報生成部３００内の筐体状態検知部３０１によって、スマートフォン１００の第１筐体１０１と第２筐体１０２とがスライドして、第２筐体１０２の操作部１０４が露出された状態になったか否かが検知される。
【０１３４】
ステップ３１において、文字入力形態への移行が検知されない場合には、ステップＳ４２に移行して、通常処理に移行する。
【０１３５】
一方、文字入力形態への移行が検知された場合には、アプリケーション（１）を起動中か否かを判断する（ステップＳ３２）。ここで、アプリケーション（１）は、ワンセグ放送等のマルチメディアコンテンツの視聴用のアプリケーションをいう。
【０１３６】
ステップＳ３２において、アプリケーション（１）が起動中でないと判断されれば、ステップＳ４２に移行して、通常処理に移行する。
【０１３７】
一方、アプリケーション（１）が起動中であると判断された場合には、起動指定されたアプリケーションがあるか否かを判断する（ステップＳ３３）。ここで、起動指定されたアプリケーションとは、利用者によって予め指定したアプリケーションをいう。例えば、ワンセグ放送等のマルチメディアコンテンツを視聴しているときに、情報発信系のアプリケーションとして起動させるアプリケーションを予め指定することをいう。
【０１３８】
従って、ステップＳ３３において、起動指定されたアプリケーションが無いと判断されれば、すなわち、利用者によって起動させる情報発信系のアプリケーションが予め指定されていないと判断されれば、起動するアプリケーションテーブル(アプリケーション選択画面）を表示させて、利用者に選択させ（ステップＳ３４）、ステップＳ３５に移行する。
【０１３９】
なお、上記ステップＳ３４では、指定されたアプリケーションを表示するだけではなく、端末で起動できるアプリケーションの一覧を表示し、利用者が一覧からアプリケーションを選択するようにしても良い。ここで、一覧で示すアプリケーションは、利用者が予め設定しても良いし、インストールされているアプリケーションを検索して自動的に提示するようにしても良い。
【０１４０】
一方、ステップＳ３３において、起動指定されたアプリケーションがあると判断されれば、指定のアプリケーションを起動し（ステップＳ３５）、ワンセグ放送などの現状のアプリケーション（１）をバックグランド再生する（ステップＳ３６）。これにより、最初に起動していたアプリケーション（１）はバックグランドに移動し、次に、起動したアプリケーション（２）がメインディスプレイ１０３に表示される。
【０１４１】
そして、利用者は、アプリケーション（２）を利用する（ステップＳ３７）。ここで、アプリケーション（２）を利用して発信しようとする情報の入力を行う。このとき、起動したアプリケーション（２）の情報入力画面には、現在、バックグランド再生中のアプリケーション（１）によって実行されている内容（例えば放送内容）を特定する情報をタグとして既に表示されている。
【０１４２】
続いて、上記アプリケーション（２）を終了する（ステップＳ３８）。
【０１４３】
次に、文字入力形態の終了を検知したか否かを判断する（ステップＳ３９）。ここでは、スマートフォン１００において、第１筐体１０１と第２筐体１０２とがスライド移動することで、第２状態から第１状態になったことを文字入力形態の終了したこととする。
【０１４４】
従って、ステップＳ３９において、文字入力形態の終了でなければ、アプリケーション（１）へ移行する特殊操作を行うか否かが判断される（ステップＳ４０）。
【０１４５】
特殊操作とは、アプリケーションを起動する前のワンセグ放送視聴状態に戻る際の、パスワード入力などの操作をいう。
【０１４６】
ここで、特殊操作を行うと判断されれば、文字入力形態の終了であると判断され、ステップＳ４１に移行し、特徴操作を行わないと判断されれば、ステップＳ４２に移行し、通常処理を行う。
【０１４７】
一方、ステップＳ３９において、文字入力形態の終了したことが検知されれば、アプリケーション（１）を起動する（ステップＳ４１）。ここで、アプリケーション（１）として起動するのは、ステップ３２において起動中であると判断されたワンセグ放送である。
【０１４８】
そして、通常処理へ移行する（ステップＳ４２）。
【０１４９】
以上のように、本実施の形態に係るスマートフォン１００によれば、第２筐体１０２上面１０２ａの操作部１０４が第１筐体１０１によって覆われた第１状態で、且つ、第１筐体１０１上面のメインディスプレイ１０３にワンセグ放送等のマルチメディアコンテンツを表示しているときに、表示情報生成部３００内の筐体状態検知部３０１によって、第２状態が検出されると、上記メインディスプレイ１０３に、情報発信用画面として、情報発信系のアプリケーションの文字入力画面（タグ付き）が表示されることで、利用者は、メインディスプレイ１０３に表示された文字入力画面に対して、第２筐体１０２の操作部１０４を操作して文字入力を行い、情報を発信することが可能となる。
【０１５０】
このように、ワンセグ放送視聴中の利用者は、スマートフォン１００を第１状態から第２状態にするだけで、所望する情報発信系アプリケーション（Ｔｗｉｔｔｅｒ等）の文字入力画面に視聴中のワンセグ放送の内容を特定するための情報をタグとして付記した状態で迅速に情報の発信を行うことができる。
【０１５１】
ところで、上記の説明では、スマートフォン１００のメインディスプレイ１０３にワンセグ放送等のマルチメディアコンテンツが表示された場合の情報発信について述べたが、本発明はこれに限定されるものではなく、例えば、スマートフォン１００（第２電子機器）とパーソナルコンピュータ（第１電子機器）（以下、ＰＣと称する）とが通信可能に接続された状態で、且つ、スマートフォン１００が第１状態、そして、ＰＣ側でワンセグ放送を視聴しているときに、第１状態のスマートフォン１００を第２状態にすることにより、当該ＰＣ側で視聴中のワンセグ放送の内容を特定する情報をタグとして自動生成して、上記スマートフォン１００のメインディスプレイ１０３にＴｗｉｔｔｅｒ等の情報発信系アプリケーションの文字入力画面に上記タグを付記して表示させるようにしてもよい。
【０１５２】
つまり、ワンセグ放送等のマルチメディアコンテンツを表示する表示部を備えたＰＣと、上記構成のスマートフォン１００とが通信可能に接続された情報入力システムにおいても、本願発明を適用することが可能である。
【０１５３】
ここで、スマートフォン１００とＰＣとのが通信可能に接続された状態とは、スマートフォン１００とＰＣとが無線ＬＡＮ、キャリア網、Ｂｌｕｅｔｏｏｔｈなどで接続またはリンクされた状態をいう。上記接続とは、相互にデータ通信が可能な状態でスマートフォン１００とＰＣとが繋がった状態をいい、上記リンクとは、スマートフォン１００とＰＣとが同じ表示画面やデータをそれぞれ共有している状態をいう。
【０１５４】
上記の構成によれば、スマートフォン１００が第１状態であるとき、利用者が、ＰＣ側でワンセグ放送を視聴中に、第１状態のスマートフォン１００を第２状態にすることで、当該ＰＣ側で視聴中のワンセグ放送の内容を特定するための情報をタグとして自動生成し、上記スマートフォン１００のメインディスプレイ１０３にＴｗｉｔｔｅｒの文字入力画面が上記タグを付記した状態で表示される。
【０１５５】
これにより、ＰＣに表示されているワンセグ放送視聴中の利用者は、スマートフォン１００を第２状態（操作部１０４が露出した状態）にするだけで、当該スマートフォン１００側で、所望する情報発信系アプリケーションを用いて迅速に情報の発信を行うことができるという効果を奏する。
【０１５６】
上記ＰＣの表示部またはスマートフォン１００のメインディスプレイ１０３において表示されるのは、ワンセグ放送だけでなく、フルセグ放送（フルセグメント放送）であってもよいし、上述したように、録画済の映像データの再生映像であってもよいし、再生中の音楽に関連付けられた映像（タイトル画面等）であってもよい。
【０１５７】
なお、本実施の形態では、スマートフォン１００を第１状態から第２状態にするために、第１筐体１０１と第２筐体１０２とをスライドさせて実現しているが、これに限定されるものではなく、第１状態を、操作部１０４が露出していない状態、第２状態を、操作部１０４が露出している状態と考えた場合に、当該操作部１０４を覆うカバーを設けて、カバーの開閉により、第１状態と第２状態とを切り替えるようにしてもよい。
【０１５８】
また、第１筐体１０１と第２筐体１０２とをスライドさせて、スマートフォン１００を第１状態から第２状態にしたときに、当該スマートフォン１００のメインディスプレイ１０３に情報発信系のアプリケーションの文字入力画面を直ぐに表示させる例について説明したが、これに限定されるものではなく、例えば、起動可能な情報発信系のアプリケーションの選択画面を最初に情報発信用画面として表示させるようにしてもよいし、また、予め設定された情報発信系のアプリケーションの文字入力画面ではなく、当該アプリケーションの起動画面を最初に情報発信用画面として表示させるようにしてもよい。
【０１５９】
本実施の形態では、本発明の電子機器としてスマートフォンを例に説明したが、これに限定されるものではなく、例えば、ＴＶ放送、ＷＥＢ放送、ストリーミング、ミュージック等のマルチメディアコンテンツの視聴機能を有する携帯電話、ＰＤＡ等の携帯端末等に適用してもよい。
【０１６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６１】
本発明は、ＴＶ放送、ＷＥＢ放送、ストリーミング、ミュージック等のマルチメディアコンテンツの視聴機能を有する携帯電話、ＰＤＡ等の携帯端末等の電子機器に利用することができる。
【符号の説明】
【０１６２】
１００  スマートフォン（電子機器）
１０１  第１筐体
１０１ａ  上面
１０２  第２筐体
１０２ａ  上面
１０３  メインディスプレイ（表示部）
１０３ａ  文字入力画面
１０３ｂ  アイコン群
１０４  操作部
１０５  サブディスプレイ
２０１  メイン制御部
２０２  通信制御部
２０３  キー操作部
２０４  キー状態感知部
２０５  ＬＥＤ等表示部
２０６  センサ制御部
２０７  ＧＰＳ制御部
２０８  カメラ制御部
２０９  メインディスプレイ表示制御部
２１０  メインディスプレイ操作部
２１１  サブディスプレイ表示制御部
２１２  音制御部
２１３  電源制御部
２１４  外部接続制御部
２１５  内蔵メモリ
２１６  ＳＩＭカード制御部
２１７  無線部
２１８  有線部
２１９  マイク
２２０  スピーカ
２２１  電池
２２２  コネクタ
２２３  コネクタ
２２４  外部メモリ
２２５  スライドセンサ
２２６  テレビ受像部
３００  表示情報生成部（表示情報生成手段）
３０１  筐体状態検知部（状態検知手段）
３０２  タグ生成部（タグ生成手段）
３０３  画面情報取得部
３０４  表示情報出力部
４００  アプリケーション実行制御部
【図１】
2012253520.tif 000003
【図２】
2012253520.tif 000004
【図３】
2012253520.tif 000005
【図４】
2012253520.tif 000006
【図５】
2012253520.tif 000007
【図６】
2012253520.tif 000008
【図７】
2012253520.tif 000009
【図８】
2012253520.tif 000010
【図９】
2012253520.tif 000011